(57)【要約】【課題】ハードディスクドライブのディスク、ハードディスクドライブ、基板を形成する記録媒体をテクスチャする方法、磁気記録ディスクの基板をテクスチャする方法、およびディスクドライブを作動させる方法を提供する。【解決手段】ディスク基板の表面に陷沒形成され、網状のパターンでテクスチャリングされて、相互交差する網状のパターンの交差角である第１交差角を有する第１テクスチャと、第１テクスチャと独立的にディスク基板の表面に形成され、網状のパターンでテクスチャリングされて、相互交差する網状のパターンの交差角として第１交差角より相対的に小さな第２交差角を有する第２テクスチャとを有するハードディスクドライブのディスクが提供される。【選択図】図３
2007257821.tif 000002
【特許請求の範囲】
【請求項１】
ディスク基板の表面に陷沒形成され、網状のパターンでテクスチャリングされて、相互交差する前記網状のパターンの交差角である第１交差角を有する第１テクスチャと；
前記第１テクスチャと独立的に前記ディスク基板の表面に形成され、網状のパターンでテクスチャリングされて、相互交差する前記網状のパターンの交差角として前記第１交差角より相対的に小さな第２交差角を有する第２テクスチャと；
を有することを特徴とする、ハードディスクドライブのディスク。
【請求項２】
前記第１テクスチャが前記ディスク基板にテクスチャリングされた後、前記第２テクスチャがテクスチャリングされることを特徴とする、請求項１に記載のハードディスクドライブのディスク。
【請求項３】
前記第１テクスチャと前記第２テクスチャは、円周方向に沿ってテクスチャリングされることを特徴とする、請求項１に記載のハードディスクドライブのディスク。
【請求項４】
前記第１交差角は、前記ディスクの内周において１０°〜３０°を有し、前記第２交差角は、前記ディスクの内周において０°〜１０°を有することを特徴とする、請求項１に記載のハードディスクドライブのディスク。
【請求項５】
前記第１テクスチャは、３Å〜１０Åの間の平均表面粗度を有し、前記第２テクスチャは、１Å〜４Åの間の平均表面粗度を有することを特徴とする、請求項１に記載のハードディスクドライブのディスク。
【請求項６】
前記ディスクは、０．７インチ〜１．０インチの直径を有することを特徴とする、請求項１に記載のハードディスクドライブのディスク。
【請求項７】
ディスク基板の表面に陷沒形成され、第１表面粗度を有するように網状のパターンでテクスチャリングされる第１テクスチャと；
前記第１テクスチャと独立的に前記ディスク基板の表面に形成され、前記第１表面粗度より相対的に小さな第２表面粗度を有するように網状のパターンでテクスチャリングされる第２テクスチャと；
を有することを特徴とする、ハードディスクドライブのディスク。
【請求項８】
前記第１テクスチャが前記ディスク基板にテクスチャリングされた後、前記第２テクスチャがテクスチャリングされることを特徴とする、請求項７に記載のハードディスクドライブのディスク。
【請求項９】
前記第１テクスチャと前記第２テクスチャは、円周方向に沿ってテクスチャリングされることを特徴とする、請求項７に記載のハードディスクドライブのディスク。
【請求項１０】
前記第１テクスチャは、３Å〜１０Åの間の平均表面粗度を有し、前記第２テクスチャは、１Å〜４Åの間の平均表面粗度を有することを特徴とする、請求項７に記載のハードディスクドライブのディスク。
【請求項１１】
ベースと；
前記ベースに設けられるディスクと；
を備え、
前記ディスクは、
ディスク基板の表面に陷沒形成され、網状のパターンでテクスチャリングされて、相互交差する前記網状のパターンの交差角である第１交差角を有する第１テクスチャと；
前記第１テクスチャと独立的に前記ディスク基板の表面に形成され、網状のパターンでテクスチャリングされ、相互交差する前記網状のパターンの交差角として前記第１交差角より相対的に小さな第２交差角を有する第２テクスチャと；
を有することを特徴とする、ハードディスクドライブ。
【請求項１２】
前記第１テクスチャが前記ディスク基板にテクスチャリングされた後、前記第２テクスチャがテクスチャリングされることを特徴とする、請求項１１に記載のハードディスクドライブ。
【請求項１３】
前記第１テクスチャと前記第２テクスチャは、円周方向に沿ってテクスチャリングされることを特徴とする、請求項１１に記載のハードディスクドライブ。
【請求項１４】
前記第１交差角は、前記ディスクの内周で１０°〜３０°を有し、前記第２交差角は、前記ディスクの内周で０°〜１０°を有することを特徴とする、請求項１１に記載のハードディスクドライブ。
【請求項１５】
前記第１テクスチャは、３Å〜１０Åの間の平均表面粗度を有し、前記第２テクスチャは、１Å〜４Åの間の平均表面粗度を有することを特徴とする、請求項１１に記載のハードディスクドライブ。
【請求項１６】
前記ディスクは、０．７インチ〜１．０インチの直径を有することを特徴とする、請求項１１に記載のハードディスクドライブ。
【請求項１７】
ベースと；
前記ベースに設けられるディスクと；
を備え、
前記ディスクは、
ディスク基板の表面に陷沒形成され、第１表面粗度を有するように網状のパターンでテクスチャリングされる第１テクスチャと；
前記第１テクスチャと独立的に前記ディスク基板の表面に形成され、前記第１表面粗度より相対的に小さな第２表面粗度を有するように網状のパターンでテクスチャリングされる第２テクスチャと；
を有することを特徴とする、ハードディスクドライブ。
【請求項１８】
前記第１テクスチャが前記ディスク基板にテクスチャリングされた後、前記第２テクスチャがテクスチャリングされることを特徴とする、請求項１７に記載のハードディスクドライブ。
【請求項１９】
前記第１テクスチャと前記第２テクスチャは、円周方向に沿ってテクスチャリングされることを特徴とする、請求項１７に記載のハードディスクドライブ。
【請求項２０】
前記第１テクスチャは、３Å〜１０Åの間の平均表面粗度を有し、前記第２テクスチャは、１Å〜４Åの間の平均表面粗度を有することを特徴とする、請求項１７に記載のハードディスクドライブ。
【請求項２１】
ディスク基板の表面に形成される第１パターンと；
前記第１パターンと異なるように前記ディスク基板の表面に形成される第２パターンと；
を有することを特徴とする、ハードディスクドライブのディスク。
【請求項２２】
前記第１パターンは、第１交差角を有する線パターンを有し、前記第２パターンは、第１交差角より小さな第２交差角を有する線パターンを有することを特徴とする、請求項２１に記載のハードディスクドライブのディスク。
【請求項２３】
前記第１パターンの表面粗度が前記第２パターンの表面粗度より大きいことを特徴とする、請求項２１に記載のハードディスクドライブのディスク。
【請求項２４】
所定の第１値を有する第１パターン特性を有する第１網状のパターンを形成する第１テクスチャを基板の表面に形成するステップと；
前記所定の第１値より小さな所定の第２値を有する第２パターン特性を有する第２網状パターンで形成される第２テクスチャを基板の表面に形成するステップと；
を有することを特徴とする、基板を形成する記録媒体をテクスチャする方法。
【請求項２５】
前記記録媒体は、小径ハードディスクドライブに用いられるディスクであることを特徴とする、請求項２４に記載の基板を形成する記録媒体をテクスチャする方法。
【請求項２６】
前記第１パターン特性は、第１網状パターンの交差線パターンの間で形成される第１交差角を有し、前記第２パターン特性は、第２網状パターンの交差線パターンの間で形成される第２交差角を有することを特徴とする、請求項２４に記載の基板を形成する記録媒体をテクスチャする方法。
【請求項２７】
前記第１網状パターンの第１パターン特性は、第１表面粗度をさらに有し、前記第２網状パターンの第２パターン特性は、第２表面粗度をさらに有することを特徴とする、請求項２６に記載の基板を形成する記録媒体をテクスチャする方法。
【請求項２８】
前記第１テクスチャと第２テクスチャは、円周の方向に同心的に形成されることを特徴とする、請求項２４に記載の基板を形成する記録媒体をテクスチャする方法。
【請求項２９】
ディスク基板を第１テクスチャパターンと第２テクスチャパターンとでディスク基板をテクスチャリングするステップを有し、
前記ディスク基板をテクスチャリングする段階は、
前記第１テクスチャパターンの第１表面粗度と、第２テクスチャパターンの第２表面粗度との第１差異を制御するステップと；
前記第１テクスチャパターンの第１線パターン交差角と、第２テクスチャパターンの第２線パターン交差角との第２差異を制御する段階と；
を有し、
前記第１差異と第２差異とを制御することは、前記磁気ヘッドの浮上能力を増加させることを特徴とする、磁気ヘッドを備えたディスクドライブに使用可能な磁気記録ディスクの基板をテクスチャする方法。
【請求項３０】
所定の第１値を有する第１パターン特性を有する第１網状パターンで形成される第１テクスチャを基板表面に形成する段階と、前記第１値より小さな所定の第２値を有する第２パターン特性を有する第２網状パターンで前記基板表面に第２テクスチャを形成する段階とを備える磁気ヘッドの浮上高さを制御するためにディスクの基板をテクスチャリングする段階と；
前記テクスチャリングされたディスクを回転させる段階と；
前記テクスチャリングされたディスクの回転によって発生した空気流れによる揚力で前記磁気ヘッドを前記回転するディスク上に所定の浮上高さまで浮上させる段階と；
前記回転するテクスチャリングされたディスクからのデータの読み取り、および／または、前記ディスクへのデータの書き込みを実行する段階と；
を有することを特徴とする、磁気ヘッドを備えたディスクドライブを作動させる方法。
【発明の詳細な説明】
【技術分野】
【０００１】
本発明は、ハードディスクドライブのディスク、ハードディスクドライブ、基板を形成する記録媒体をテクスチャする方法、磁気記録ディスクの基板をテクスチャする方法、およびディスクドライブを作動させる方法に係り、より詳細には、磁気ヘッドの浮上能力（ｆｌｙ−ａｂｉｌｉｔｙ）を向上させうるだけではなく、同時にディスクの磁気（Ｍａｇｎｅｔｉｃ）特性を向上させるＯＲ（Ｏｒｉｅｎｔａｔｉｏｎ  Ｒａｔｉｏ）も改善しうるハードディスクドライブのディスク、ハードディスクドライブ、基板を形成する記録媒体をテクスチャする方法、磁気記録ディスクの基板をテクスチャする方法、およびディスクドライブを作動させる方法に関する。
【背景技術】
【０００２】
ハードディスクドライブ（Ｈａｒｄ  Ｄｉｓｋ  Ｄｒｉｖｅ：以下、「ＨＤＤ」という。）は、電子装置と機械装置とからなり、デジタル電子パルスをより永久的な磁場に変えてデータを記録および再生する方式の記憶装置であって、大量のデータを高速でアクセス（Ａｃｃｅｓｓ）できるためにコンピュータシステムの補助記憶装置などとして現在広く使われている。
【０００３】
このようなＨＤＤは、最近高いＴＰＩ（Ｔｒａｃｋ  Ｐｅｒ  Ｉｎｃｈ；インチ当りトラック数、ディスクの回転方向の密度）および高いＢＰＩ（Ｂｉｔｓ  Ｐｅｒ  Ｉｎｃｈ；インチ当りビット数、厚さ方向の密度）の具現により高容量化されており、その適用領域も広がっている。これを反映するように最近には、ノート型パソコン、ＰＤＡ（Ｐｅｒｓｏｎａｌ  Ｄｉｇｉｔａｌ  Ａｓｓｉｓｔａｎｔｓ）、携帯電話など携帯可能な電子製品に使用可能な小型のＨＤＤに対する開発が要求されており、実際に最近直径が０．８５インチのほぼコインサイズの小径（ＳＦＦ、Ｓｍａｌｌ  Ｆｏｒｍ  Ｆａｃｔｏｒ）ＨＤＤが開発されて今後の携帯電話などにも使われる予定である。
【０００４】
ＨＤＤは、図１に示すように、回転するディスク１１０上を飛行する磁気ヘッド１３１を備える。そして、磁気ヘッド１３１は、スライダー（Ｓｌｉｄｅｒ）１３６に搭載されており、磁気ヘッド１３１が搭載されたスライダー１３６はサスペンション１３４によってディスク１１０の表面側に付勢されるように支持されている。
【０００５】
このような構成でデータの記録および再生作業が進行される間には、ディスク１１０の回転による陽力とサスペンション１３４とによる弾性力が磁気ヘッド１３１が搭載されたスライダー１３６に作用する。これにより、スライダー１３６は、陽力と弾性力とが平衡を成す高さでディスク１１０の記録面上に浮き上がった状態を維持するので、スライダー１３６に搭載された磁気ヘッド１３１は回転するディスク１１０と一定した間隔を維持してディスク１１０にデータを記録し、および、ディスク１１０からデータを再生する。
【０００６】
一方、電源がオフ（ｏｆｆ）されてディスク１１０の回転が止められた場合には、スライダー１３６を持ち上げた陽力が消えるために、その前にスライダー１３６がディスク１１０の記録面を外れるようにすることでスライダー１３６と記録面との接触による記録面の損傷を阻む。
【０００７】
ところで、磁気ヘッド１３１がディスク１１０上を浮き上がってデータの記録および再生を実行する間には、磁気ヘッド１３１をディスク１１０の記録面に可能な限り近接するように維持させることが望ましい。言い換えれば、磁気ヘッド１３１の浮上高さを最小に維持させることが望ましい。何故ならば、磁気ヘッド１３１の浮上高さが低くなるほどディスク１１０に形成する記録トラックの幅を狭めることができ、記録トラック幅を狭めるようになれば、ディスク１１０の保存容量の向上をはかることができるためである。
【０００８】
したがって、磁気ヘッド１３１の表面とディスク１１０の記録面とをさらに偏平にすれば、記録面と磁気ヘッド１３１との表面の扁平度に対応する程度に磁気ヘッド１３１の浮上高さを低くすることができる。しかし、磁気ヘッド１３１の表面とディスク１１０の記録面とがあまりにも偏平であれば、これら二面の正確な一致が動作中に過度な吸着と摩擦とを発生させ、これによって磁気ヘッド１３１とディスク１１０の記録面とが摩耗され、結局はヘッド破損（ｈｅａｄ  ｃｒａｓｈ）を誘発する可能性がある。これを考慮して、ディスク１１０の記録面は、一般的にヘッドとディスク１１０との間の摩擦を減少させるためにテクスチャリング（ｔｅｘｔｕｒｉｎｇ）と呼ばれる技術によって粗い表面であるテクスチャ（ｔｅｘｔｕｒｅ）が提供される。
【０００９】
一方、このようなテクスチャの表面粗度やそのパターンなどは、保存容量の向上などさまざまな因子を考慮して決定される。特に１インチ以下、例えば、０．７インチ〜１インチの小径ＨＤＤのディスクの場合には、そのディスクの直径が相当小さいにもかかわらず、一定レベル以上の保存容量が要求されるので、このような保存容量を確保でき、またビットエラー率（ＢＥＲ）も向上させうるテクスチャ構造を採用しなければならない。
【００１０】
そして、高い保存容量とビットエラー率（ＢＥＲ）の向上のためには、記録面の線密度（Ｌｉｎｅ  Ｄｅｎｓｉｔｙ）の向上が必要であり、このためにトラックの幅が減少しうる。したがって、このような条件を満足させるために表面粗度を小さくしてテクスチャの凹凸の高さを低くするか、テクスチャパターンの相互交差する交差角が小さなテクスチャを採用することができる。
【００１１】
しかし、テクスチャの凹凸の高さが低くなるか、テクスチャパターンの相互交差する交差角が小さな場合には、磁気ヘッドとディスク表面との摩擦のような機械的相互作用を防止することが困難である。これは結局、磁気ヘッドの浮上能力の低下を引き起こす短所がある。このような磁気ヘッドの浮上能力の低下は、特に、ディスクの分当り回転数が３６００ｒｐｍ〜５４００ｒｐｍで留まる１インチ以下の小径（ＳＦＦ）ＨＤＤで解決しなければならない至急な課題として挙がっている。
【００１２】
このような問題点を考慮して、テクスチャの表面粗度を大きくしてテクスチャの凹凸の高さを高くするか、テクスチャのパターンの相互交差する交差角を増加させたテクスチャをディスクに形成することで磁気ヘッドの浮上能力の向上をはかる方案を考慮しうる。しかし、この場合には、磁気特性を向上させるＯＲが悪くなってＢＥＲ（Ｂｉｔ  Ｅｒｒｏｒ  Ｒａｔｅ）の向上をはかることができない短所がある。
【００１３】
このように磁気特性を向上させるＯＲの改善をはかることができながらも、特に小径ＨＤＤで深刻な問題として台頭されるヘッドの浮上能力を向上させてヘッドとディスクとの間に発生しうるさまざまな潤滑関連の問題を最小化できる方案が現在切実に必要とされている。
【００１４】
【特許文献１】米国特許第５６２６９４１号明細書
【特許文献２】特開平５−０５４３６０号公報
【特許文献３】特開平５−２０５２５８号公報
【発明の開示】
【発明が解決しようとする課題】
【００１５】
本発明の目的は、小さな線速度などの理由によって発生しうる磁気ヘッドの浮上能力の低下を補完して、磁気ヘッドの浮上能力を向上させ、かつディスク（ｄｉｓｋ）の磁気特性を向上させるＯＲを改善してビットエラー率（ＢＥＲ）も向上させることが可能な、新規かつ改良されたハードディスクドライブのディスク、ハードディスクドライブ、基板を形成する記録媒体をテクスチャする方法、磁気記録ディスクの基板をテクスチャする方法、およびディスクドライブを作動させる方法を提供することにある。
【課題を解決するための手段】
【００１６】
上記目的を達成するために、本発明の第１の観点によれば、ディスク基板の表面に陷沒形成され、網状のパターンでテクスチャリングされて、相互交差する上記網状のパターンの交差角である第１交差角を有する第１テクスチャと、上記第１テクスチャと独立的に上記ディスク基板の表面に形成され、網状のパターンでテクスチャリングされて、相互交差する上記網状のパターンの交差角として上記第１交差角より相対的に小さな第２交差角を有する第２テクスチャとを有するハードディスクドライブのディスクが提供される。
【００１７】
また、上記第１テクスチャが上記ディスク基板にテクスチャリングされた後、上記第２テクスチャがテクスチャリングされるとしてもよい。
【００１８】
また、上記第１テクスチャと上記第２テクスチャは、円周方向に沿ってテクスチャリングされるとしてもよい。
【００１９】
また、上記第１交差角は、上記ディスクの内周において１０°〜３０°を有し、上記第２交差角は、上記ディスクの内周において０°〜１０°を有するとしてもよい。
【００２０】
また、上記第１テクスチャは、３Å〜１０Åの間の平均表面粗度を有し、上記第２テクスチャは、１Å〜４Åの間の平均表面粗度を有するとしてもよい。
【００２１】
また、上記ディスクは、０．７インチ〜１．０インチの直径を有するとしてもよい。
【００２２】
また、上記目的を達成するために、本発明の第２の観点によれば、ディスク基板の表面に陷沒形成され、第１表面粗度を有するように網状のパターンでテクスチャリングされる第１テクスチャと、上記第１テクスチャと独立的に上記ディスク基板の表面に形成され、上記第１表面粗度より相対的に小さな第２表面粗度を有するように網状のパターンでテクスチャリングされる第２テクスチャとを有するハードディスクドライブのディスクが提供される。
【００２３】
また、上記第１テクスチャが上記ディスク基板にテクスチャリングされた後、上記第２テクスチャがテクスチャリングされるとしてもよい。
【００２４】
また、上記第１テクスチャと上記第２テクスチャは、円周方向に沿ってテクスチャリングされるとしてもよい。
【００２５】
また、上記第１テクスチャは、３Å〜１０Åの間の平均表面粗度を有し、上記第２テクスチャは、１Å〜４Åの間の平均表面粗度を有するとしてもよい。
【００２６】
また、上記目的を達成するために、本発明の第３の観点によれば、ベースと、上記ベースに設けられるディスクとを備え、上記ディスクは、ディスク基板の表面に陷沒形成され、網状のパターンでテクスチャリングされて、相互交差する上記網状のパターンの交差角である第１交差角を有する第１テクスチャと、上記第１テクスチャと独立的に上記ディスク基板の表面に形成され、網状のパターンでテクスチャリングされ、相互交差する上記網状のパターンの交差角として上記第１交差角より相対的に小さな第２交差角を有する第２テクスチャとを有するハードディスクドライブが提供される。
【００２７】
また、上記第１テクスチャが上記ディスク基板にテクスチャリングされた後、上記第２テクスチャがテクスチャリングされるとしてもよい。
【００２８】
また、上記第１テクスチャと上記第２テクスチャは、円周方向に沿ってテクスチャリングされるとしてもよい。
【００２９】
また、上記第１交差角は、上記ディスクの内周で１０°〜３０°を有し、上記第２交差角は、上記ディスクの内周で０°〜１０°を有するとしてもよい。
【００３０】
また、上記第１テクスチャは、３Å〜１０Åの間の平均表面粗度を有し、上記第２テクスチャは、１Å〜４Åの間の平均表面粗度を有するとしてもよい。
【００３１】
また、上記ディスクは、０．７インチ〜１．０インチの直径を有するとしてもよい。
【００３２】
また、上記目的を達成するために、本発明の第４の観点によれば、ベースと、上記ベースに設けられるディスクとを備え、上記ディスクは、ディスク基板の表面に陷沒形成され、第１表面粗度を有するように網状のパターンでテクスチャリングされる第１テクスチャと、上記第１テクスチャと独立的に上記ディスク基板の表面に形成され、上記第１表面粗度より相対的に小さな第２表面粗度を有するように網状のパターンでテクスチャリングされる第２テクスチャとを有するハードディスクドライブが提供される。
【００３３】
また、上記第１テクスチャが上記ディスク基板にテクスチャリングされた後、上記第２テクスチャがテクスチャリングされるとしてもよい。
【００３４】
また、上記第１テクスチャと上記第２テクスチャは、円周方向に沿ってテクスチャリングされるとしてもよい。
【００３５】
また、上記第１テクスチャは、３Å〜１０Åの間の平均表面粗度を有し、上記第２テクスチャは、１Å〜４Åの間の平均表面粗度を有するとしてもよい。
【００３６】
また、上記目的を達成するために、本発明の第５の観点によれば、ディスク基板の表面に形成される第１パターンと、上記第１パターンと異なるように上記ディスク基板の表面に形成される第２パターンとを有するハードディスクドライブのディスクが提供される。
【００３７】
また、上記第１パターンは、第１交差角を有する線パターンを有し、上記第２パターンは、第１交差角より小さな第２交差角を有する線パターンを有するとしてもよい。
【００３８】
また、上記第１パターンの表面粗度が上記第２パターンの表面粗度より大きいとしてもよい。
【００３９】
また、上記目的を達成するために、本発明の第６の観点によれば、所定の第１値を有する第１パターン特性を有する第１網状のパターンを形成する第１テクスチャを基板の表面に形成するステップと、上記所定の第１値より小さな所定の第２値を有する第２パターン特性を有する第２網状パターンで形成される第２テクスチャを基板の表面に形成するステップとを有する基板を形成する記録媒体をテクスチャする方法が提供される。
【００４０】
また、上記記録媒体は、小径ハードディスクドライブに用いられるディスクであるとしてもよい。
【００４１】
また、上記第１パターン特性は、第１網状パターンの交差線パターンの間で形成される第１交差角を有し、上記第２パターン特性は、第２網状パターンの交差線パターンの間で形成される第２交差角を有するとしてもよい。
【００４２】
また、上記第１網状パターンの第１パターン特性は、第１表面粗度をさらに有し、上記第２網状パターンの第２パターン特性は、第２表面粗度をさらに有するとしてもよい。
【００４３】
また、上記第１テクスチャと第２テクスチャは、円周の方向に同心的に形成されるとしてもよい。
【００４４】
また、上記目的を達成するために、本発明の第７の観点によれば、ディスク基板を第１テクスチャパターンと第２テクスチャパターンとでディスク基板をテクスチャリングするステップを有し、上記ディスク基板をテクスチャリングする段階は、上記第１テクスチャパターンの第１表面粗度と、第２テクスチャパターンの第２表面粗度との第１差異を制御するステップと、上記第１テクスチャパターンの第１線パターン交差角と、第２テクスチャパターンの第２線パターン交差角との第２差異を制御する段階とを有し、上記第１差異と第２差異とを制御することは、上記磁気ヘッドの浮上能力を増加させる磁気ヘッドを備えたディスクドライブに使用可能な磁気記録ディスクの基板をテクスチャする方法が提供される。
【００４５】
また、上記目的を達成するために、本発明の第８の観点によれば、所定の第１値を有する第１パターン特性を有する第１網状パターンで形成される第１テクスチャを基板表面に形成する段階と、上記第１値より小さな所定の第２値を有する第２パターン特性を有する第２網状パターンで上記基板表面に第２テクスチャを形成する段階とを備える磁気ヘッドの浮上高さを制御するためにディスクの基板をテクスチャリングする段階と、上記テクスチャリングされたディスクを回転させる段階と、上記テクスチャリングされたディスクの回転によって発生した空気流れによる揚力で上記磁気ヘッドを上記回転するディスク上に所定の浮上高さまで浮上させる段階と、上記回転するテクスチャリングされたディスクからのデータの読み取り、および／または、上記ディスクへのデータの書き込みを実行する段階とを有する磁気ヘッドを備えたディスクドライブを作動させる方法が提供される。
【発明の効果】
【００４６】
本発明によれば、小さな線速度などの理由によって発生しうる磁気ヘッドの浮上能力の低下を補完して、磁気ヘッドの浮上能力を向上させ、かつディスクの磁気特性を向上させるＯＲを改善してビットエラー率（ＢＥＲ）も向上させることができる。
【００４７】
また、これによって、ＨＤＤ、特に小径（ＳＦＦ）のＨＤＤの品質向上をはかり得る。
【発明を実施するための最良の形態】
【００４８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００４９】
図２は、本発明の一実施形態に係るＨＤＤ１の斜視図である。本発明の一実施形態に係るＨＤＤ１は、０．７インチ〜１．０インチの直径を有する小径（ＳＦＦ）ＨＤＤであって、データを記録保存するディスク１０と、これを固定支持しながら回転させるための多様な部品を含むディスクパック（Ｄｉｓｋ  Ｐａｃｋ）２０と、ディスク１０上のデータを読出すヘッドスタックアセンブリー（ＨＡＳ、Ｈｅａｄ  Ｓｔａｃｋ  Ａｓｓｅｍｂｌｙ）３０と、大部分の回路部品をＰＣＢ（Ｐｒｉｎｔｅｄ  Ｃｉｒｃｕｉｔ  Ｂｏａｒｄ）上に装着して各種部品を制御する印刷回路基板組立体（ＰＣＢＡ、Ｐｒｉｎｔｅｄ  Ｃｉｒｃｕｉｔ  Ｂｏａｒｄ  Ａｓｓｅｍｂｌｙ）４０と、これら構成部品が組み立てられるベース（Ｂａｓｅ）５０と、ベース５０の上部を覆うカバーＣｏｖｅｒ）６０とを備える。
【００５０】
ディスクパック２０は、ディスク１０の回転軸心を形成するシャフト（Ｓｈａｆｔ）２１と、シャフト２１の半径方向外側に設けられてディスク１０を支持するスピンドルモーターハブ（Ｓｐｉｎｄｌｅ  Ｍｏｔｏｒ  Ｈｕｂ；図示せず）と、スピンドルモーターハブの上部に結合されるクランプ（Ｃｌａｍｐ）２３と、クランプ２３を加圧してディスク１０がスピンドルモーターハブを固定させるクランプスクリュー（Ｃｌａｍｐ  Ｓｃｒｅｗ）２５とを備える。
【００５１】
そして、ヘッドスタックアセンブリー３０は、ディスク１０上にデータを書込み、またディスク１０上から読出しするための運搬体（Ｃａｒｒｉａｇｅ）であって、ディスク１０上にデータを書込み、またディスク１０上から読出しするための磁気ヘッド３１と、磁気ヘッド３１がディスク１０上のデータをアクセスできるようにピボット軸３２を軸心としてディスク１０上を旋回するアクチュエーターアーム３３と、アクチュエーターアーム３３の端部に結合されたサスペンション３４と、ピボット軸３２を回転可能に支持してアクチュエーターアーム３３が結合されて支持されるピボット軸ホルダー３５と、ピボット軸ホルダー３５でアクチュエーターアーム３３の反対方向に設けられるボイスコイルモーター（ＶＣＭ、Ｖｏｉｃｅ  Ｃｏｉｌ  Ｍｏｔｏｒ；図示せず）のマグネットの間に位置するようにＶＣＭコイル（図示せず）が巻き取られたボビン（図示せず）とを備える。一方、磁気ヘッド３１をパーキングさせるためのランプ５６は、ディスク１０の記録面から離隔した位置にある。
【００５２】
ボイスコイルモーターは、磁気ヘッド３１をディスク１０上の所望の位置に移動させるためにアクチュエーターアーム３３を回動させる一種の駆動モーターであって、フレミングの左手の法則、すなわち、磁界の中にある導体に電流を流した時、力が発生する原理を利用したものである。ボイスコイルモーターは、マグネットの間に位置するＶＣＭコイルに電流を印加することでボビンに力を加えてボビンを回動させる。これにより、ピボット軸ホルダー３５でボビンと反対方向に延びたアクチュエーターアーム３３とが回動されて、その先端に支持された磁気ヘッド３１が回転するディスク１０上の半径方向に移動しながら、情報を有するトラックを検索してアクセスし、アクセスされたトラック情報を信号処理することができる。
【００５３】
図３は、図２のＨＤＤのディスクの平面図であり、図４は、図３のディスクでテクスチャを誇張されるように図示した概略的断面図である。図３、図４に示されるように、本発明の一実施形態に係るＨＤＤのディスク１０は、ディスク基板１１と、ディスク基板１１の表面に形成される第１テクスチャ１３と、ディスク基板１１の表面に第１テクスチャ１３と独立的に形成される第２テクスチャ１５とを備える。このようにテクスチャリングされたディスク基板１１上には、普通、磁気層、コーティング層、潤滑層などが順次に形成されることが一般的である。磁気層、コーティング層、潤滑層などを形成する多様な方法がすでに公知されているために、ここではその説明を省略し、これらに対する図面上の図示も説明の便宜上、省略する。
【００５４】
このような第１テクスチャ１３と第２テクスチャ１５は、円周方向に沿ってテクスチャリングされる。テクスチャは、放射方向に沿っても形成されうるが、放射方向に沿って形成される場合には、円周方向に沿ってテクスチャリングされた場合より磁気性能が落ちるためにトラックに保有できるデータ保有量が低下する。
【００５５】
また、もし第１テクスチャ１３を円周方向に沿ってテクスチャリングし、第２テクスチャ１５を放射方向に沿ってテクスチャリングする場合には、円周方向と放射方向とに沿ってテクスチャリングする製造設備の種類がそれぞれ異なるためにテクスチャリング工程が複雑で二重設備が必要となるために設置費用も相当にかかることとなる。
【００５６】
したがって、本発明の一実施形態では、第１テクスチャ１３と第２テクスチャ１５のすべてがシャフト（図２参照）２１の中心に対して円周方向に沿って同心円上にテクスチャリングされることで磁気性能の低下を防止でき、また単純なテクスチャリング工程で形成することができる。
【００５７】
[第１パターン特性]
第１テクスチャ１３は、ディスク基板１１の表面に陷沒形成されるが、例えば、３Å〜１０Åの平均表面粗度（Ｒａ）である第１表面粗度を有するように第１網状の第１パターンでテクスチャリングされ、第１テクスチャ１３の第１網状の第１パターンは二つの他の円周方向線パターンＬ１、Ｌ２が相互交差する交差角として相対的に大きい第１交差角α１を有する。このような第１テクスチャ１３は、ディスク１０のシャフト２１の中心を基準にして円周方向に第１網状の規則的なパターンを形成する。第１テクスチャ１３は、ディスク１０表面上で、図４に図示されたように、第２テクスチャ１５が形成する溝Ｄ２よりも相対的に深い溝Ｄ１の形態で表われる。
【００５８】
第１テクスチャ１３の第１交差角α１は、ディスク１０の内周（Ｉｎｎｅｒ  Ｄｉａｍｅｔｅｒ）および外周（Ｏｕｔｅｒ  Ｄｉａｍｅｔｅｒ）で変わりうるが、例えば、ディスク１０内周でおおよそ１０°〜３０°を有しうる。このような交差角によって溝によって取り囲まれるピーク部分の一定面積の形状が決定されるが、図３から確認できるように、相対的に大きい交差角α１を有する第１テクスチャ１３の溝の間のピーク部分の一定面積Ａ１が第２テクスチャ１５の溝の間のピーク部分の一定面積Ａ２より小さく形成され、これによって磁気ヘッド３１がディスク１０上を飛行していて、磁気ヘッド３１とディスク１０とが接触される場合に接触される面積がさらに小さくなる。これにより、過度な吸着と摩擦の発生が減少するので、第１テクスチャ１３によって磁気ヘッド３１の浮上能力を向上させることができる。また、第１テクスチャ１３がテクスチャリングされた後、第２テクスチャ１５がテクスチャリングされても、磁気ヘッド３１がディスク１０上を飛行していて、磁気ヘッド３１とディスク１０とが接触される場合、その接触される面積はさらに減り、したがって、このような磁気ヘッド３１の浮上能力は、第２テクスチャ１５の存在によって低下しない。
【００５９】
このような磁気ヘッド３１の浮上能力は、テクスチャの交差角外にディスク１０表面の表面粗度とも関連する。本実施形態では、第１テクスチャ１３の平均表面粗度（Ｒａ）（例えば、３Å〜１０Åの間の平均表面粗度（Ｒａ））は、第２テクスチャ１５より相対的に大きい平均表面粗度（Ｒａ）を有する。ディスク１０の表面粗度が相対的に大きい場合には、少ない分当り回転数に起因した小さな線速度による磁気ヘッド３１の浮上能力の低下を防止できる。このようにディスク１０の平均表面粗度が大きい場合に、磁気ヘッド３１の浮上能力の低下を防止できる理由は、表面粗度が大きい場合には、ディスク１０の回転中にさらに大きい空気流を発生させるためであると理解される。
【００６０】
[第２パターン特性]
一方、第２テクスチャ１５は、第１テクスチャ１３と独立的にディスク１０基板の表面に形成されるが、第１表面粗度より相対的に小さな第２表面粗度を有するように第２網状の第２パターンでテクスチャリングされ、パターンの相互交差する二つの他の円周方向線パターンＬＬ１、ＬＬ２と交差角として第１交差角α１より相対的に小さな第２交差角α２とを有する。このような第２テクスチャ１５は、第１テクスチャ１３がディスク１０の基板にテクスチャリングされた後、テクスチャリングされる。すなわち、相対的に大きい表面粗度と交差角とを有する第１テクスチャ１３が形成された後、これより相対的に小さな表面粗度と交差角とを有する第２テクスチャ１５が形成される。第２テクスチャ１５は、図４に図示されたように、第１テクスチャ１３が形成する溝Ｄ１よりも相対的に浅い溝Ｄ２の形態で表われる。
【００６１】
第２テクスチャ１５の第２交差角α２は、ディスク１０の内周および外周によって変わりうるが、例えば、ディスク１０の内周で０°〜１０°を有することができ、第２テクスチャ１５は、例えば、１Å〜４Åの間の平均表面粗度（Ｒａ）を有しうる。このように第２テクスチャ１５の第２交差角α２が第１交差角α１より相対的に小さな第２交差角α２を有するか小さな表面粗度を有するようになれば、ディスク１０の磁気特性を向上させるＯＲが改善される。このような磁気特性を向上させるＯＲの改善でビットエラー率（ＢＥＲ）も向上されうる。
【００６２】
例えば、第２テクスチャ１５の第２交差角α２が相対的に小さな交差角を有するようになれば、コバルトクロムベース記録層の一種であるＣｏＣｒＰｔＢの格子の直交軸が第２テクスチャ１５に形成された溝でよく整列されてＯＲが改善され、したがって、ビットエラー率（ＢＥＲ）が向上しうる。また、第２テクスチャ１５が相対的に小さな表面粗度を有するようになれば、磁気ヘッド３１がディスク１０の記録面に近接するように維持されるのでビットエラー率（ＢＥＲ）が向上しうる。
【００６３】
ＣｏＣｒＰｔＢは、垂直非等方性を有するコバルト白金ベースハードディスク媒体であるＣｏＰｔＣｒＯとは反対の長手方向非等方性を有するコバルトクロムベースハードディスク媒体である。本実施形態では、長手方向非等方性を有するＣｏＣｒＰｔＢに関して例示的な方法で説明したが、本発明は垂直非等方性を有するＣｏＰｔＣｒＯや他のハードディスク媒体にも適用されうる。
【００６４】
一方、第１テクスチャ１３と第２テクスチャ１５との併行生成と関連して、ディスク基板１１に、たとえ第１テクスチャ１３がすでに形成されているとしても、コバルトクロムベース記録層であるＣｏＣｒＰｔＢの格子は、主に第２テクスチャ１５に整列されるために磁気特性を向上させるＯＲの改善およびビットエラー率（ＢＥＲ）の向上は、第１テクスチャ１３の存在とは関係なく達成されうる。ここで、ビットエラー率（ＢＥＲ）とは、１および／または０でなった二進データがディスク１０で誤ったデータに変わる確率を意味するものであって、ＨＤＤの性能を表わす主な因子である。したがって、ビットエラー率（ＢＥＲ）の向上は、すなわちＨＤＤの性能に影響を与える。
【００６５】
このように本発明の上述した実施形態のＨＤＤは、ディスク基板１１に、相対的に大きい表面粗度および相対的に大きい交差角を有する第１テクスチャ１３と、相対的に小さな表面粗度および相対的に小さな交差角を有する第２テクスチャ１５とをディスク１０の円周方向に機械的に形成したディスク１０を備えることによって、３６００ｒｐｍ〜５４００ｒｐｍ程度に低いディスク１０分当り回転数と小径に起因した小さな線速度とのために発生しうる磁気ヘッド３１の浮上能力の低下を補完する役割を果すと共に、水平磁気記録媒体（ｌｏｎｇｉｔｕｄｉｎａｌ  ｍａｇｎｅｔｉｃ  ｒｅｃｏｒｄｉｎｇ  ｍｅｄｉａ）のＯＲも向上させうる。
【００６６】
このような構成を有するＨＤＤの一般的な動作とそれによる作用とについて図２〜図３を参照して説明すれば、次のようである。
【００６７】
まず、ディスク基板１１に相対的に大きい表面粗度および相対的に大きい交差角を有する第１テクスチャ１３を形成する。そして、第１テクスチャ１３がすでに形成されたディスク基板１１にまた相対的に小さな表面粗度および相対的に小さな交差角を有する第２テクスチャ１５を形成する。その後、テクスチャリングされたディスク基板１１上に磁気層、コーティング層、潤滑層などを順次に形成してディスク１０を設けて、このディスク１０を含んで各種部品の組み立てを完了することにより、本発明の一実施形態に係るＨＤＤ１の製作が完了する。
【００６８】
このようなＨＤＤ１の作動過程を図２を参照して説明すると、ＨＤＤ１に電源が印加されてデータの記録および再生作業が進行される間には、磁気ヘッド３１が搭載されたスライダー３６にディスク１０の回転による陽力とサスペンション３４とによる弾性力が作用する。
【００６９】
これにより、スライダー３６は、陽力と弾性力とが平衡を成す高さでディスク１０の記録面上に浮き上がった状態を維持するので、スライダー３６に搭載された磁気ヘッド３１は回転するディスク１０と一定した間隔を維持してディスク１０にデータを記録および再生する。
【００７０】
このとき、本発明によるＨＤＤ１では、従来のＨＤＤと異なって、相対的に大きい表面粗度および相対的に大きい交差角を有する第１テクスチャ１３と、相対的に小さな表面粗度および相対的に小さな交差角を有する第２テクスチャ１５とがディスク１０の円周方向に沿って機械的にテクスチャリングされたディスク１０を採用しているので、小さな線速度などに起因した磁気ヘッド３１の浮上能力の低下を補完して、磁気ヘッド３１の浮上能力を向上させ、かつディスク１０の磁気特性を向上させるＯＲも改善してビットエラー率（ＢＥＲ）も向上させることができる。
【００７１】
すなわち、低い分当り回転数と、小径に起因した小さな線速度によって磁気ヘッド３１に小さな陽力が作用するという事実にもかかわらず、相対的に大きい交差角と相対的に大きい表面粗度とを有する第１テクスチャ１３によって、磁気ヘッド３１とディスク１０とが動作中に接触されても、その接触面積が相対的に小さな構造を有するので過度な吸着や摩擦を防止できるので浮上能力を向上させうる。
【００７２】
また、相対的に小さな交差角と相対的に小さな表面粗度とを有する第２テクスチャ１５によって、第１テクスチャ１３がすでに存在するという事実にもかかわらず、ディスク１０の磁気特性を向上させるＯＲが改善され、さらにビットエラー率（ＢＥＲ）を向上させうる。
【００７３】
なお、上述した実施形態では、１インチ以下の小径ＨＤＤについて前述したが、２．５インチ以上のＨＤＤにも本発明の思想を適用できることは、言うまでもない。
【００７４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７５】
本発明は、磁気ヘッドの浮上能力を向上させうるだけではなく、同時にディスクの磁気特性を向上させるＯＲも改善しうるハードディスクドライブのディスクおよびそれを備えたハードディスクドライブ関連の技術分野に適用可能である。
【図面の簡単な説明】
【００７６】
【図１】従来のハードディスクドライブの磁気ヘッドとディスクと間の概略的な配置状態を示す説明図である。
【図２】本発明の一実施形態に係るハードディスクドライブの斜視図である。
【図３】図２に示すハードディスクドライブのディスクの平面図である。
【図４】図３に示すディスクでテクスチャを誇張して図示した概略的断面図である。
【符号の説明】
【００７７】
１０    ディスク
１１    ディスク基板
１３    第１テクスチャ
１５    第２テクスチャ
３１    磁気ヘッド
【図１】
2007257821.tif 000003
【図２】
2007257821.tif 000004
【図３】
2007257821.tif 000005
【図４】
2007257821.tif 000006